(57)【要約】【課題】排気が排気筒へと集合されて排気される複合燃焼装置において、第２の燃焼部燃焼しているときに、第１の燃焼部の点火動作を行ったときの、第２の燃焼部の風量、燃焼量の移動の際の適正燃焼を行うこと。【解決手段】暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントへと制御をおこない、給湯燃焼部１に点火をおこなったあとは、元の燃焼量に戻さず、その燃焼ライン上の最小燃焼ポイントから燃焼を再開することにより、給湯燃焼部が点火動作を行ったあと適正燃焼を行うことができる。【選択図】図１
2005172256.tif 000002
【特許請求の範囲】
【請求項１】
燃料供給比例弁及び給気ファンから供給される燃料及び燃焼用空気により燃焼を行う燃焼バーナと、前記燃焼バーナの熱を利用する熱交換器で構成された複数の燃焼装置と、前記燃焼装置の制御を行う制御部と、前記給気ファンの空気量を可変させる回転数制御部を有し、前記各燃焼装置の排気筒は集合して１つの排気経路より排気する構成とし、複数の運転モードを同時に実行できるようにした複合燃焼装置であって、一方の燃焼装置が燃焼中に他方の燃焼装置が燃焼動作に入ったときは、燃焼中の燃焼装置の燃焼量を予め定めた所定値に変更した後、着火動作を行い同時運転を開始するとともに、前記燃焼中の燃焼装置はすぐに元の燃焼量に戻さず、予め定めた特定の燃焼条件を満たした後、通常動作に復帰させるようにした複合燃焼装置。
【請求項２】
複数の燃焼装置は、給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第１所定値に変更し、その後、着火動作を行って同時運転を開始するとともに、前記特定のラインバーナの燃焼量を更に最小燃焼量まで低下させた後、通常動作に復帰させるようにした請求項１記載の複合燃焼装置。
【請求項３】
複数の燃焼装置は、給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を最小燃焼量まで低下させた後、通常動作に復帰させるようにした請求項１記載の複合燃焼装置。
【請求項４】
複数の燃焼装置は、給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼を停止させた後、通常の着火シーケンスに基づき運転を再開するようにした請求項１記載の複合燃焼装置。
【請求項５】
複数の燃焼装置は、給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を着火動作時の規定値に変更した後、通常動作に復帰させるようにした請求項１記載の複合燃焼装置。
【請求項６】
複数の燃焼装置は、給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を任意の第３所定値に変更した後、通常動作に復帰させるようにした請求項１記載の複合燃焼装置。
【発明の詳細な説明】
【技術分野】
【０００１】
本発明は、複数の燃焼部からの排気ガスを集合して排気する複合燃焼装置において、同時運転を行う場合の着火制御に関するものである。
【背景技術】
【０００２】
従来、この種の燃焼装置は図６に示すように、２組の燃焼部分を有し、第１の燃焼部分において、入水された水をお湯に出湯する第１の熱交換器４を上部に配し、その下方に燃料を供給する第１の燃料供給比例弁３からの燃料で燃焼する第１の燃焼バーナー１と、この燃焼バーナー１に対して燃焼用空気を供給する第１の給気ファン２が装備されている。
【０００３】
また、第２の燃焼部においても同様に、第２の熱交換器９、第２の燃料供給比例弁８、第２の燃焼バーナー６、第２の給気ファン７が装備されている。
【０００４】
そして、第１の燃焼部は給湯運転に利用され、第２の燃焼部は暖房運転あるいは風呂追い焚き運転に利用される。
【０００５】
また、燃焼により発生する排気ガスは、両熱交換器の上部に設けた第１の排気筒５および第２排気筒１０を経由して集合された後、排気される。
【０００６】
また、第１の燃焼バーナー１と第２の燃焼バーナー６の燃焼制御は制御部１１により予め定められたシーケンスに基づいて行われ、第１の給気ファン２と第２の給気ファン７の空気量は回転数制御装置１２により制御される。
【０００７】
上記の如く構成された複合燃焼装置において、第２の燃焼部が一方だけ燃焼しているときに、第１の燃焼部が点火動作を行ったときは、第２の燃焼部の燃焼量を調整することにより、ある燃焼ポイントへと制御をおこなう。そして、第１の燃焼部に点火を行った後は、第２の燃焼部の燃焼量を元の燃焼量に戻し、通常動作を行っていた（例えば、特許文献１参照）。
【特許文献１】特開２００２−２６７１８６号公報
【発明の開示】
【発明が解決しようとする課題】
【０００８】
しかしながら、前記従来の構成では、第２の燃焼部が燃焼中に第１の燃焼部が点火動作を行うときは、第２の燃焼部の燃焼量を所定値に変更し、両燃焼部が干渉し合わないような着火条件に設定しているが、同時燃焼開始後においては、第２の燃焼部の燃焼量を一気に元の燃焼量に復帰するようにしているため、所定値と元の燃焼量の差が大きい場合は、風量および燃料の増加側の急変現象が発生し、第２の燃焼部の風量と燃料の変化速度のバランスが崩れて適正燃焼を行うことが非常に困難であった。
【０００９】
また、第１の燃焼部の燃焼量を急激に変化させると、第１と第２の給気ファンの間で吸気の奪い合いが発生し、空気不足が生じたり、排気が干渉し合って燃焼特性が悪くなったり、さらには排気閉塞状態に陥り異常音が発生するという課題を有していた。
【課題を解決するための手段】
【００１０】
前記従来の課題を解決するために、本発明の燃焼装置は、複数の燃焼装置の排気経路を集合させた複合燃焼装置において、一方の燃焼装置が燃焼中に他方の燃焼装置が燃焼動作に入ったときは、燃焼中の燃焼装置の燃焼量を予め定めた所定値に変更した後、着火動作を行い同時運転を開始するとともに、前記燃焼中の燃焼装置はすぐに元の燃焼量に戻さず、予め定めた特定の燃焼条件を満たした後、通常動作に復帰させるようにしたものである。
【００１１】
これによって、複数の燃焼装置が同時に運転を開始する場合は、お互いが干渉し合わないような着火条件に設定して同時運転を開始するため、燃焼中の燃焼装置が後から運転を開始する燃焼装置の着火動作による影響を受けることなく適正な燃焼状態を確保することができ、同時燃焼開始後は先に燃焼していた燃焼装置をさらに予め定めた特定の燃焼条件に変更した後、通常動作に復帰させるようにしているため、前記特定の燃焼条件を同時運転開始時に変更した燃焼量よりも小さくなる方向に設定することで、同時燃焼時の燃焼バランスを確保しつつ、後からの燃焼装置を優先させた運転を確保することができる。
【発明の効果】
【００１２】
本発明の複合燃焼装置は、複数の燃焼装置を同時燃焼させるとき、お互いが干渉し合わない着火条件で着火動作を行うことができるとともに、同時運転開始後は燃焼バランスを確保しつつ、後からの燃焼装置を優先させた運転を確保することができる。
【発明を実施するための最良の形態】
【００１３】
第１の発明は、燃料供給比例弁及び給気ファンから供給される燃料及び燃焼用空気により燃焼を行う燃焼バーナと、前記燃焼バーナの熱を利用する熱交換器で構成された複数の燃焼装置と、前記燃焼装置の制御を行う制御部と、前記給気ファンの空気量を可変させる回転数制御部を有し、前記各燃焼装置の排気筒は集合して１つの排気経路より排気する構成とし、複数の運転モードを同時に実行できるようにした複合燃焼装置であって、一方の燃焼装置が燃焼中に他方の燃焼装置が燃焼動作に入ったときは、燃焼中の燃焼装置の燃焼量を予め定めた所定値に変更した後、着火動作を行い同時運転を開始するとともに、前記燃焼中の燃焼装置はすぐに元の燃焼量に戻さず、予め定めた特定の燃焼条件を満たした後、通常動作に復帰させるようにしたことを特徴とするもので、複数の燃焼装置が同時に運転を開始する場合は、お互いが干渉し合わないような着火条件に設定して同時運転を開始するため、燃焼中の燃焼装置が後から運転を開始する燃焼装置の着火動作による影響を受けることなく適正な燃焼状態を確保することができ、同時燃焼開始後は先に燃焼していた燃焼装置をさらに予め定めた特定の燃焼条件に変更した後、通常動作に復帰させるようにしているため、前記特定の燃焼条件を同時運転開始時に変更した燃焼量よりも小さくなる方向に設定することで、同時燃焼時の燃焼バランスを確保しつつ、後からの燃焼装置を優先させた運転を確保することができる。
【００１４】
第２の発明は、複数の燃焼装置は給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第１所定値に変更し、その後、着火動作を行って同時運転を開始するとともに、前記特定のラインバーナの燃焼量を更に最小燃焼量まで低下させた後、通常動作に復帰させるようにしたことを特徴とするもので、同時燃焼開始後の第２の燃焼バーナの燃焼量を着火時に変更した燃焼量の可変域の最小値に設定するようにしているため、同時燃焼時の燃焼バランスを確保しつつ、第１の燃焼装置、つまり給湯運転を優先させた動作を確保することができる。
【００１５】
第３の発明は、複数の燃焼装置は給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を最小燃焼量まで低下させた後、通常動作に復帰させるようにしたことを特徴とするもので、同時燃焼開始後の第２の燃焼バーナの燃焼量を燃焼量可変幅全域における最小燃焼量に設定するようにしているため、同時燃焼時の燃焼バランスをより良好に確保しつつ、第１の燃焼装置、つまり給湯運転を最優先させた動作を確保することができる。
【００１６】
第４の発明は、複数の燃焼装置は給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼を停止させた後、通常の着火シーケンスに基づき運転を再開するようにしたことを特徴とするもので、同時燃焼開始後に第２の燃焼バーナを停止させ、その後、通常シーケンスで着火動作を再開させるようにしているため、同時燃焼時の燃焼バランスが確保し易くなるとともに、第１の燃焼装置、つまり給湯運転を優先させた動作を確保することができる。
【００１７】
第５の発明は、複数の燃焼装置は給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を着火動作時の規定値に変更した後、通常動作に復帰させるようにしたことを特徴とするもので、同時燃焼開始後の第２の燃焼バーナの燃焼量を燃焼バランスを確保しやすい着火時の燃焼量に設定するようにしているため、確実に第１の燃焼バーナと第２の燃焼バーナの燃焼バランスを確保することができ、かつ給湯運転を行う第１の燃焼装置を優先して運転することができる。
【００１８】
第６の発明は、複数の燃焼装置は給湯運転を実行する第１の燃焼装置と暖房運転または風呂運転を実行する第２の燃焼装置とし、前記第２の燃焼装置を構成する第２の燃焼バーナには複数のラインバーナを有し、前記第２の燃焼装置が燃焼中に第１の燃焼装置が燃焼動作に入ったときは、その時点で燃焼している前記第２の燃焼バーナのうち特定のラインバーナの燃焼量を予め定めた第２所定値に変更し、その後、着火動作を行って同時運転を開始するとともに、前記第２の燃焼バーナの燃焼量を任意の第３所定値に変更した後、通常動作に復帰させるようにしたことを特徴とするもので、同時燃焼開始後の第２の燃焼バーナの燃焼量を燃焼バランスを確保しやすい着火時の燃焼量に設定するようにしているため、確実に第１の燃焼バーナと第２の燃焼バーナの燃焼バランスを確保することができ、かつ給湯運転を行う第１の燃焼装置を優先して運転することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における複合燃焼装置の構成図で、第１の燃焼装置を給湯器とし、第２の燃焼装置を温水暖房器としたものであり、給湯器の最大燃焼量は４５０００ｋｃａｌ／ｈとし、温水暖房器の最大燃焼量は１５０００ｋｃａｌ／ｈとしたものである。
【００２１】
ここで第１の燃焼装置の給湯器としては、入水された水をお湯に出湯する給湯熱交換器４を上部に配し、その下方に燃料が供給量可能に変更できる給湯燃料供給比例弁３、上記給湯燃料供給比例弁３からの燃料で燃焼する給湯燃焼バーナー１と、この給湯燃焼バーナー１に対して燃焼用空気を供給量変更可能にする給湯給気ファン２が装備されている。なお、燃焼量は入水温、入水流量、設定温度によって設定され比例制御を行うようになっている。
【００２２】
また、第２の燃焼装置の温水暖房器においても同様の部品が装備されており、暖房熱交換器９を上部に配し、その下方に燃料が供給量可能に変更できる暖房燃料供給比例弁８、上記暖房燃料供給比例弁８からの燃料で燃焼する暖房燃焼バーナー６と、この暖房燃焼バーナー６に対して燃焼用空気を供給量変更可能にする暖房給気ファン７が装備されている。上記暖房燃焼バーナーの燃焼熱を利用して、熱交換器管内の水を温水へと変換している。また燃焼された排気が、この両熱交換器の上にある、給湯燃焼装置の排気筒５および第２の燃焼装置の排気筒１０へと排気され、それらの排気が集合されて１箇所から排気している。
【００２３】
また、上記給湯燃料供給比例弁３と暖房燃料供給比例弁８と給湯燃焼バーナー１と暖房燃焼バーナー６と給湯給気ファン２と暖房給気ファン７による燃焼を制御する制御部１１と、給湯給気ファン２と暖房給気ファン７の空気量を可変させる回転数制御装置１２により、２組の燃焼装置を制御している。給湯および暖房の燃焼部からの排気がひとつの排気筒へと集合されて一体型となっている構成により排気される複合燃焼装置の同時燃焼作動状態において、従来、図２に示されるように、暖房の燃焼部が一方だけ燃焼しているときに、給湯の燃焼部が点火動作を行ったとき、暖房の燃焼部は給湯給気ファン２により風量と暖房燃料供給比例弁８の燃焼量を調整することにより、ある燃焼ポイントＡ点へと制御をおこなう。給湯燃焼部に点火をおこなったあとは、暖房燃焼部の暖房給気ファン７による風量と暖房燃料供給比例弁８の燃焼量を元の燃焼量に戻し、湯温制御をおこなう制御をしていた。これは、暖房燃焼部で最小燃焼量で燃焼をおこなっていた場合、暖房燃焼部の風量も燃焼量も小さく、低負荷で燃焼中、給湯燃焼部が点火したときに給湯燃焼部の点火時の点火圧力により、暖房燃焼部側に圧力がかかり、暖房燃焼部側が一瞬排気閉塞になることにより、暖房燃焼部側が消火してしまい燃焼が停止し、更に機器が停止してしまうということを防ぐための制御をおこなっていた。
【００２４】
しかしながら、従来の構成では、その燃焼量がたとえば、図５に示されるように最大燃焼量ポイントで燃焼していた場合に、給湯燃焼部が点火動作を行ったとき、暖房燃焼部は暖房給気ファン７により風量と暖房燃料供給比例弁８の燃焼量を調整することにより、ある燃焼ポイントＡ点へと移動する制御をおこなう。この際、燃焼量および風量は最大燃焼量よりも小さい量へと移動する。給湯燃焼部に点火をおこなったあとは、暖房燃焼部の暖房給気ファン７による風量と暖房燃料供給比例弁８の燃焼量を元の燃焼の状態に戻し、湯温制御をおこなうため、最大燃焼量へと燃焼量および風量を制御していたが、給湯燃焼部が点火したあと暖房燃焼部が元の最大燃焼量ポイントへと風量および燃焼量を移動させる場合、ある燃焼ポイントＡ点から、元の燃焼ポイントの差が大きい場合、風量および燃焼量の増加側の急変を発生させてしまい、暖房燃焼部の風量、燃焼量の移動の際の適正燃焼を行うことが非常に困難であった。
【００２５】
また、給湯および暖房のそれぞれの給気ファンの間で吸気の奪い合いが発生し、空気不足が生じたり、給湯および暖房燃焼部からの排気が排気筒へと集合されて排気される複合燃焼装置のため、排気が干渉し合い、燃焼性が悪くなったり、排気閉塞状態に陥り、異常音の発生の原因となっていた。
【００２６】
そこで、本実施の形態では、図２に示されるように、給湯燃焼部１および暖房燃焼部６からの排気が排気筒５、１０を経由して集合されて排気される複合燃焼装置において、暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントＡ点へと制御をおこない、給湯燃焼部１に点火をおこなったあとは、暖房燃焼部６の給気ファン７による風量と暖房燃料供給比例弁８の燃焼量を元の燃焼量に戻さず、その燃焼ライン上の最小燃焼ポイントから燃焼を再開することにより、暖房燃焼部６が燃焼中、給湯燃焼部１が点火動作を行ったあと、適正燃焼を行うことができ、排気が干渉し合い、燃焼性が悪くなったり、排気閉塞状態に陥ることがなく、異常音の発生の原因をなくすことができる。
【００２７】
（実施の形態２）
本発明における実施の形態２は、構成は実施の形態１における構成と同じである。給湯燃焼部１および暖房燃焼部６からの排気が排気筒６、１０を経由して集合されて排気される複合燃焼装置において、暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントＡ点へと制御をおこない、給湯燃焼部１に点火をおこなったあとは、図３に示すように、暖房燃焼部６の給気ファン７による風量と暖房燃料供給比例弁８の燃焼量を元の燃焼量に戻さず、暖房燃焼部６の最小燃焼量のポイントから燃焼を再開させる。暖房の最小燃焼ポイントとは、暖房燃焼が例えば２段切り替え式の燃焼部である場合、例えば２段燃焼の全燃焼で燃焼していた場合、給湯点火時は暖房側はある燃焼ポイントＡ点へと移動し、給湯燃焼部１が点火確認後、暖房側は１段燃焼部分の最小燃焼量の位置へと風量および、燃焼量を移動させる。暖房燃焼部６が燃焼中、給湯燃焼部１が点火動作を行ったあと、暖房燃焼部６の最小燃焼量で燃焼するため、第１の発明よりも給湯燃焼部１に干渉することがなく適正燃焼を行うことができ、排気が干渉し合い、燃焼性が悪くなったり、排気閉塞状態に陥ることがなく、異常音の発生の原因をなくすことができる。
【００２８】
（実施の形態３）
本発明における実施の形態３は、構成は実施の形態１における構成と同じである。給湯燃焼部１および暖房燃焼部６からの排気が排気筒５、１０から集合されて排気される複合燃焼装置において、暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントＡ点へと制御をおこない、給湯燃焼部１に点火をおこなったあとは、暖房燃焼部６の給気ファン７による風量と暖房燃料供給比例弁８の燃焼量を元の燃焼量に戻さず、一旦暖房燃焼部の燃焼を停止させ、その後再点火を行うことにより、暖房燃焼部が燃焼中、給湯燃焼部が点火動作を行ったあと、暖房燃焼部を停止させることにより、第１、第２の発明に対して、給湯燃焼部に干渉することがなく適正燃焼を行うことができ、排気が干渉し合い、燃焼性が悪くなったり、排気閉塞状態に陥ることがなく、異常音の発生の原因をなくすことができる。
【００２９】
（実施の形態４）
本発明における実施の形態４は、構成は実施の形態１における構成と同じである。給湯燃焼部１および暖房燃焼部６からの排気が排気筒５、１０から集合されて排気される複合燃焼装置において、暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントＡ点へと制御をおこない、給湯燃焼部１に点火をおこなったあとは、暖房燃焼部６の給気ファン７による風量と暖房燃料供給比例弁８の燃焼量を元の燃焼量に戻さず、図４に示すように、点火時の燃焼ポイントから燃焼を再開することにより、風量および燃焼量の元の位置への急激な変動がないため、暖房燃焼部が燃焼中、給湯燃焼部が点火動作を行ったあと、適正燃焼を行うことができ、排気が干渉し合い、燃焼性が悪くなったり、排気閉塞状態に陥ることがなく、異常音の発生の原因をなくすことができる。また、第１から第３の発明に対して燃焼量を下げる必要性がないため、熱交換機内の湯温低下を防ぐことができる。
【００３０】
（実施の形態５）
本発明における実施の形態５は、構成は実施の形態１における構成と同じである。給湯燃焼部１および暖房燃焼部６からの排気が排気筒５、１０から集合されて排気される複合燃焼装置において、暖房燃焼部６が一方だけ燃焼しているときに、給湯燃焼部１が点火動作を行ったとき、暖房燃焼部６は暖房給気ファン７により風量と暖房燃料供給比例弁８の燃焼量を調整することにより、ある燃焼ポイントＡ点へと制御をおこない、給湯燃焼部１に点火をおこなったあとは、暖房燃焼部６の給気ファン７による風量と暖房燃料供給比例弁８の燃焼量を元の燃焼量に戻さず、ある設定されたポイントから燃焼を再開することにより、暖房の燃焼部が燃焼中、給湯燃焼部が点火動作を行ったあと、風量および燃焼量の元の位置への急激な変動がない適切な設定ポイントから燃焼を再開させることにより、適正燃焼を行うことができ、排気が干渉し合い、燃焼性が悪くなったり、排気閉塞状態に陥ることがなく、異常音の発生の原因をなくすことができる。また、第１から第３の発明に対して燃焼量を下げる必要性がないため、熱交換機内の湯温低下を防ぐことができ、ある設定されたポイントから燃焼を再開させることができるため、より適正な燃焼を行うことができる。
【産業上の利用可能性】
【００３１】
以上のように、本発明にかかる燃焼装置は、２つの燃焼部を持つ燃焼装置において、燃焼部からの排気が排気筒へと集合されて排気される複合燃焼装置において、片側の燃焼部が燃焼中にもう一方の燃焼装置が点火された後の適正燃焼を行うことが可能となるため、複数の運転形態を組み合わせた複合燃焼装置全般に適用できる。
【図面の簡単な説明】
【００３２】
【図１】本発明の実施の形態における燃焼装置の構成図
【図２】本発明の実施の形態１における燃焼装置の燃焼量変化状態を示す図
【図３】本発明の実施の形態２における燃焼装置の燃焼量変化状態を示す図
【図４】本発明の実施の形態４における燃焼装置の燃焼量変化状態を示す図
【図５】従来の燃焼装置の燃焼量変化状態を示す図
【図６】従来の燃焼装置の構成図
【符号の説明】
【００３３】
１  第１の燃焼バーナー
２  第１の給気ファン
３  第１の燃料供給比例弁
４  第１の熱交換機
５  第１の燃焼装置の排気筒
６  第２の燃焼バーナー
７  第２の給気ファン
８  第２の燃料供給比例弁
９  第２の熱交換機
１０  第２の燃焼装置の排気筒
１１  制御部
１２  回転数制御装置
【図１】
2005172256.tif 000003
【図２】
2005172256.tif 000004
【図３】
2005172256.tif 000005
【図４】
2005172256.tif 000006
【図５】
2005172256.tif 000007
【図６】
2005172256.tif 000008